【事件の表示】
特許第２６２１１７７号「画像形成装置」の特許に対する特許異議の申立てについて、次のとおり決定する。
【結論】
訂正を認める。
　特許第２６２１１７７号の特許を維持する。
【理由】
１．手続の経緯
　特許第２６２１１７７号発明は、昭和６２年５月１５日に特許出願され、平成９年４月４日にその特許の設定がされ、その後異議申立人工藤廣子により特許異議の申立てがなされ、取消理由通知がなされ、その指定期間内である平成１０年６月８日に訂正請求がされた後、訂正拒絶理由が通知され、訂正拒絶理由に対して手続補正書が提出されたものである。
２．訂正の適否についての判断
（１）訂正請求に対する補正の適否について
　平成１１年６月１８日付け手続補正書による補正は、訂正請求書における特許請求の範囲の記載を訂正した訂正事項ａにおいて、特許請求の範囲第１項を更に限定する補正を行うと共に、訂正の結果、不明確となった特許請求の範囲第２項を削除する補正を行い、更に訂正請求書の訂正事項ｂを上記訂正事項ａの補正に対応すべく補正するものである。したがって、当該手続補正は訂正請求書の要旨を変更するものではなく、特許法第１２０条の４第３項において準用する同法第１３１条第２項の規定に適合する。
（２）訂正の内容
　平成１１年６月１８日付け手続補正書によって適法に補正された訂正請求書による訂正の内容は以下のとおりである。
　訂正事項ａ；
　明細書中特許請求の範囲において、
　「（１）現像手段により潜像担持体上にトナー像を形成し、該潜像担持体のトナー像を転写紙に転写して画像形成を行う場合に、上記トナー像を転写紙の進行方向にずらして転写する画像形成装置において、
　　現像バイアスを転写紙の進行に同期したタイミングで制御する手段を設けたことを特徴とする画像形成装置。
　（２）特許請求の範囲第１項記載の画像形成装置において、前記タイミング制御手段は、現像バイアスを転写紙の進行のタイミングに対して所定時間ずらして印加することを特徴とする画像形成装置。」
を、
「（１）現像手段により潜像担持体上にトナー像を形成し、該潜像担持体のトナー像を転写紙に転写して画像形成を行う場合に、上記トナー像を転写紙の進行方向にずらして転写する画像形成装置において、
　現像バイアスを転写紙のレジストオンタイミングに同期したタイミングでオンオフ制御するタイミング制御手段を有し、前記現像バイアスのタイミング制御は、コピースタートから現像バイアスオンまでの時間を上記転写紙のずれ量を時間データに変換した時間だけ加算又は減算する制御を行うことを特徴とする画像形成装置。」とする訂正。
訂正事項ｂ；
　明細書（平成８年７月１９日付けで提出され、平成８年１１月８日付けで手続補正された全文補正明細書）第２頁第１８〜１９行（特許第２６２１１７７号公報第２頁第３欄第２６〜２８行）における「上記現像手段・・・特徴としている。」を、
　「現像バイアスを転写紙のレジストオンタイミングに同期したタイミングでオンオフ制御するタイミング制御手段を有し、前記現像バイアスのタイミング制御は、コピースタートから現像バイアスオンまでの時間を上記転写紙のずれ量を時間データに変換した時間だけ加算又は減算する制御を行うことを特徴としている。」とする訂正。
（３）訂正の目的の適否、新規事項の有無
　上記訂正事項ａは、訂正前の特許請求の範囲第１項における「現像バイアスを転写紙の進行に同期したタイミングで制御する手段を設けたこと」を「現像バイアスを転写紙のレジストオンタイミングに同期したタイミングでオンオフ制御するタイミング制御手段を有し、前記現像バイアスのタイミング制御は、コピースタートから現像バイアスオンまでの時間を上記転写紙のずれ量を時間データに変換した時間だけ加算又は減算する制御を行うこと」として、「現像バイアスを転写紙の進行に同期したタイミングで制御する手段」の構成を具体的に限定すると共に、訂正前の特許請求の範囲第２項を削除するものであるから、特許請求の範囲の減縮に該当する。
　上記訂正事項ｂは、上記訂正事項ａによる特許請求の範囲の訂正に伴って、その訂正された特許請求の範囲の記載と発明の詳細な説明の記載を整合させるために明細書の記載を訂正するものであって、明りょうでない記載の釈明に該当する。
　そして、上記各訂正事項は、新規事項の追加に該当せず、且つ実質的に特許請求の範囲を拡張するものでも変更するものでもないと認められる。
（４）独立特許要件についての判断
〔訂正発明〕
　訂正明細書の特許請求の範囲に記載された発明は、その訂正明細書及び図面の記載からみて、その特許請求の範囲第１項に記載されたとおりの、「現像手段により潜像担持体上にトナー像を形成し、該潜像担持体のトナー像を転写紙に転写して画像形成を行う場合に、上記トナー像を転写紙の進行方向にずらして転写する画像形成装置において、
　現像バイアスを転写紙のレジストオンタイミングに同期したタイミングでオンオフ制御するタイミング制御手段を有し、前記現像バイアスのタイミング制御は、コピースタートから現像バイアスオンまでの時間を上記転写紙のずれ量を時間データに変換した時間だけ加算又は減算する制御を行うことを特徴とする画像形成装置。」である（以下、これを「本件訂正発明」という。）。
〔引用刊行物〕
　これに対して、当審が通知した取消理由で引用した刊行物（刊行物１：特開昭５６−８３７５６号公報、刊行物２：特開昭５８−１６８０６３号公報）には以下の記載がある。
　刊行物１；
「本発明は自動給紙された紙に再生像を形成する複写機等の像形成装置に関する。」（第１頁下右欄第８〜９行）、
「８は静電潜像を現像する現像器」（第２頁上左欄第１４行）、
「ドラム２の感光体は表面から絶縁層、光導電層、導電層で構成され…（中略）…ドラム面上に高コントラストな静電潜像を形成する。その潜像は現像域にてトナーが付与され顕画化される。顕画像は転写域にて転写チャージャのプラス電位により転写紙に転写される。転写紙はカセット１０から給紙ローラ１３のタイミング動作で１枚分離され給送されたものであり、レジストローラ１７によりドラム周速と同じ速度で転写域を通過する。」（第２頁下左欄第１４行〜同頁下右欄第６行）、
「この右方向への前進中第２図のリードスイッチ３１をオンして給紙ローラ１３、１４をオンし、リードスイッチ３２をオンしてレジストローラ１７をオンすることでシートを給送する。」（第４頁下右欄第３〜７行）、
「通常の給紙タイミングはキー１００をオンした場合又は少なくともキー１０１、１０２がオフの場合であり、それは遅延回路Ａが動作し、Ｂが不動作の場合である。…（中略）…この時スイッチ３１，３２のオンにより入力される給紙信号，レジスト信号は、遅延回路Ａで所定の時間遅れてＣＰＵに入力され、この給紙タイミングを通常のタイミングとする。今、キー１０１をオンした場合、…（中略）…コピースタートキーをオンすると、前述の如くしてリードスイッチ３１がオンしてレジスト信号を、又リードスイッチ３２がオンしてレジスト信号を、通常のタイミングに対してＣｌ，Ｒ１で設定された時間だけ早くＣＰＵに入力され、ＣＰＵに入力された信号は給紙信号，レジスト信号の順として読み込み、それぞれ給紙ローラ１３，１４、そしてレジストローラ１７を通常より早いタイミングで駆動する。…（中略）…また、キー１０２をオンした場合、…（中略）…Ｃ２，Ｒ２の遅延回路Ｂを動作する。尚トランジスタＱ４はオンした状態であるので給紙，レジストのタイミングはＣ２，Ｒ２で設定された時間量だけ遅くＣＰＵに入力され、ローラ１３，１４，１７は通常よりも遅れる。タイミングの遅延量は、Ｒ１，Ｃ１，Ｒ２，Ｃ２を可変することによって可変であり」（第５頁下右欄第１６行〜第６頁下左欄第１行）、および、
「転写材を後でファイルする為中央に書かれた原稿内容を給紙方向にずらして転写し、反対側にファイルの為の余白を設ける場合、又ブック物の複写時の位置補正する場合等に簡便な操作を可能とするものである。」（第７頁上左欄第１７行〜同頁上右欄第２行）が図面とともに記載されている。
　以上の記載から、上記刊行物１には、「現像器８により感光体ドラム２に顕画像を形成し、該ドラム２の顕画像を転写紙に転写して像形成を行う場合に、上記顕画像を転写紙の給送方向にずらして転写する像形成装置において、転写紙の給紙タイミングを、所定の時間遅れの通常、通常より早い、通常より遅いの３つのタイミングで給紙するように制御する手段を設けた像形成装置。」が記載されている。
　刊行物２；
「トナー顕画像が帯電器１４と感光体８との間にカセット内から給紙ローラ１８・レジストローラ１９で同期搬送された複写紙面に転写される。」（第２頁下左欄第１０〜１３行）、および、
「現像装置１３に対するバイアスは感光体面の潜像域の先端辺が現像装置１３の現像作用領域にさしかかった時点でそれまでのＤＣバイアスが現像バイアスであるＡＣバイアスに切換えられる。」（第５頁上左欄第１４〜１８行）が図面とともに記載されている。
　これらの記載から、「感光体面のトナー顕画像の移動、転写紙の搬送及び現像バイアスの切換えが同期するように制御する手段」が記載されている。
〔対比・判断〕
　本件訂正発明と上記刊行物１に記載のものとを比較すると、上記刊行物１に記載のものの「現像器８」、「感光体ドラム２」、「顕画像」、「転写紙」、「像形成」、「給送方向」、「像形成装置」は、それぞれ、本件訂正発明の「現像手段」、「潜像担持体」、「トナー像」、「転写紙」、「画像形成」、「進行方向」、「画像形成装置」に相当するから、両者は、「現像手段により潜像担持体にトナー像を形成し、該潜像担持体のトナー像を転写紙に転写して画像形成を行う場合に、上記トナー像を転写紙の進行方向にずらして転写する画像形成装置」である点で一致し、本件訂正発明では、「現像バイアスを転写紙のレジストオンタイミングに同期したタイミングでオンオフ制御するタイミング制御手段を有し、前記現像バイアスのタイミング制御は、コピースタートから現像バイアスオンまでの時間を上記転写紙のずれ量を時間データに変換した時間だけ加算又は減算する制御を行うこと」を特定しているのに対して、上記刊行物１に記載のものでは「転写紙の給紙タイミングを、所定の時間遅れの通常、通常より早い、通常より遅いの３つのタイミングで給紙するように制御する」点で相違している。
　上記相違点について検討する。
　上記刊行物２には、上記のように「感光体面のトナー顕画像の移動、転写紙の搬送及び現像バイアスの切換えが同期するように制御する手段」が記載されている共に、現像バイアスの作動を「感光体面の潜像域の先端辺が現像装置１３の現像作用領域にさしかかった時点」とする現像バイアスのタイミング制御手段が記載されているものと認められる。そして、上記刊行物１に記載のものとこの刊行物２に記載のものとの組合せを考えた場合、現像バイアスを転写紙の進行に同期したタイミングで動作させることが想起できるものと考えられる。
　しかしながら、上記刊行物２に記載のものにおいては、現像バイアス作動のタイミングは「感光体面の潜像域の先端辺が現像装置１３の現像作用領域にさしかかった時点」であって、コピースタートから現像バイアス作動までの時間は常に一定の夕イミングであるから、上記刊行物１と上記刊行物２の組合せにおいても、現像バイアスのタイミング制御手段は、コピースタートから現像バイアス作動までの時間を一定にして転写紙の進行と同期させたものしか得られない。
　してみると、本件訂正発明における「前記現像バイアスのタイミング制御は、コピースタートから現像バイアスオンまでの時間を上記転写紙のずれ量を時間データに変換した時間だけ加算又は減算する制御を行う」という構成事項は、上記刊行物１，２の組合せからは得られるものではない。そして、本件訂正発明は、この構成事項を具備することによって、潜像担持体上の転写紙と重なる部位に常に現像バイアスによるトナー回収作用を施すことが可能になり、本件訂正明細書に記載された「トナー像を転写体の進行方向にずらして転写する場合に、上記現像バイアスを転写体の進行に同期したタイミングで制御することで、ドラム上の画像範囲外の地汚れ部が転写されることによる転写紙の地汚れを防止することができる。」という上記刊行物１，２からは予測できない作用効果を奏するものである。
　よって、上記訂正発明は、上記刊行物１，２の存在によってその進歩性が否定されるものではなく、特許法第２９条第２項に違反しているとはいえないから、出願の際に独立して特許を受けることができたものである。
（５）むすび
　以上のとおりであるから、上記訂正請求は、特許法第１２０条の４第２項及び同条第３項で準用する特許法第１２６条第２〜４項の規定に適合するので、当該訂正を認める。
３．特許異議の申立てについての判断
（１）申立の理由の概要
　申立人は、
甲第１号証：特開昭５６−８３７５６号公報、
甲第２号証：特開昭５７−２０４５６４号公報、
甲第３号証：特開昭５８−１６８０６３号公報、
甲第４号証：特開昭６１−２９５５８１号公報、
を提出して、
　本件特許発明は、上記甲第１〜４号証に記載された発明に基づいて、その発明の属する分野における通常の知識を有する者が容易に発明をすることができたものであるから、特許法第２９条第２項の規定により特許を受けることができないものであり、本件特許は、取り消されるべき旨主張している。
（２）本件発明
　本件特許明細書の特許請求の範囲に記載された発明（以下、「本件発明」という。）は、上記２．において述べたように適法に訂正された本件特許明細書の記載からみて、その特許請求の範囲に記載されたとおり　（上記２．（４）における「〔訂正発明〕」を参照。）のものである。
（３）刊行物
　甲第１号証；
　上記２．（４）〔引用刊行物〕における「刊行物１；」を参照。
　甲第２号証；
「変倍像を感光体上において作像し、その変倍像を転写紙に転写するようにした変倍複写方法が知られている。変倍像を転写する方法としては、静電潜像を転写するものと、これを可視像化したものを転写するものとの２方式に大別されるが、いずれにしても、変倍像を感光体上において作像し、これを転写紙に転写するものである。なお、以后の説明にあたっては便宜上、可視像転写方式のものを適用する。」（第１頁下右欄第４〜１２行）、
「以上のような点については、変倍複写はもとより、等倍複写についても同様なことが言え、上述したレジスト調整を行なうことで解決することができ、この場合のシフト量としては、指定箇所と、用いられる転写紙サイズとによって調整すればよい。」（第３頁上左欄第７〜１２行）、
「ここで、転写位置において、レジストローラ対２８によって送られる転写紙Ｓに対して複写が行われるものとして、感光体上にＡ’点が転写位置Ｅに達する時間ｔ１はＬＢ／Ｖである。また、原稿手前端Ｂに対応する作像端Ｂ’が転写位置Ｅに達する時間ｔ２は次の如くである。
　…（中略）…
　即ち、Ｌｌ／Ｖは一定であるから、時間ｔ２は変倍率ｍに比例することになる。
　さらに、変倍率がｍであって、第１および第２キャリッジ２１，２２がそれぞれＶ／ｍ，Ｖ／２ｍの速度でそれぞれ移動し、かつ、感光体１９が周速度Ｖで回転するものとすると、複写したい、Ｌ３ｍの巾の変倍像の一方の端部Ｃ’が、転写位置Ｅに達する時間ｔ３は次の如くである。
　…（中略）…
　即ち、第１キャリッジ２１がホームポジションＡをスタートしてから、上記式によって一義的に定まるｔ３時間后に、転写紙Ｓの先端が転写位置Ｅに達するように、レジストローラ対２８の回転開始時機を定めれば、第１１図に示すように、転写紙Ｓの先端と、複写したい、Ｌ３ｍの巾の変倍像における一方の端部Ｃ’とが対応一致する。」（第４頁下左欄第１５行〜第５頁上左欄第４行）、
「さて、感光体上の変倍作像位置と、この作像位置に対する転写紙の位置との相互関係を、レジストレーション補正する方法としては、転写紙をレジスト移動せしめる他に、第１キャリッジ等の走査光学系のスタートタイミングを変えるようにしてもよく、」（第５頁下右欄第１３〜１８行）、
「以上のように、感光体上の、所望の複写部分に対応する作像位置と、転写紙との相互位置関係をレジスト調整することで、所望の巾の像（感光体上）を転写紙内に収めることができる。」（第６頁上左欄第７〜１０行）との記載がある。
　甲第３号証；
　上記２．（４）〔引用刊行物〕における「刊行物２；」で示した記載内容と共に以下の事項が記載されている。
「本発明は記録媒体面に静電潜像を形成し、その潜像をトナー現像し、その現像像を転写材に転写・定着して複写物を得る方式の複写機に関するもので、」（第１頁下右欄第２〜５行）、
「１３は現像装置、１４は転写用帯電器」（第２頁上左欄第４行目）、
「現像装置１３でトナー像として顕画される。次いで転写帯電器１４部にてそのトナー顕画像が帯電器１４と感光体８との間にカセット内から給紙ローラ１８・レジストローラ１９で同期搬送された複写紙面に転写される。」（第２頁下左欄第８〜１３行）、
「有効画像領域範囲Ａの長さ寸法ｌは図示例装置のよう原稿走査長が選定した複写サイズに応じて制御されるものにあっては選定した複写紙の長辺寸法（複写紙縦送り給送の場合），又は短辺寸法（同横送り搬送の場合）に対応する。
　…（中略）…トナー現像剤を無駄に消費するものであり、又クリーナ１６の感光体面クリーニング負担を大幅に増大させる結果となる。」（第３頁上左欄第１〜１１行）、
「そこで本発明に於ては感光体面の有効画像領域範囲Ａが現像装置部を通過中は現像手段たる現像スリーブ１３１にＡＣの現像バイアスを印加した状態となすことにより潜像の十分な現像を実行させる。一方非有効画像領域範囲Ｂ１・Ｂ２が通過しているときには現像バイアスを無印加にするようにシーケンス制御する。そうすると、非有効画像領域範囲Ｂ１・Ｂ２はトナー付着可能な表面電位であるけれども現像バイアスが作用していないので現像装置部通過過程で該領域範囲面にはトナー付着が極めて少なく実質的に黒消しされた効果が得られる。」（第４頁上右欄第１１行〜同頁下左欄第２行）、
「感光体上の有効画像領域範囲と現像バイアスオン−オフのタイミング制御は例えば感光体の回転角を検出するカムとマイクロスイッチを利用した機械的なもの、電気的なタイマ回路などで簡単・正確に制御管理できる。」（第５頁上左欄第２０行〜同頁上右欄第４行）。
　甲第４号証；
「現像器１３１，１３２，１３３または１３４がドラム１に隣接して画像を形成し、…（中略）…。送られる転写紙は、通過の際第１、第２レジストローラ１７，１８によってタイミングが取られ、転写ドラム２０上のグリッパ２０１によって先端がくわえられる。くわえられた転写紙は、吸着帯電器２３、しごきローラ２２の間を通過し、転写ドラム２０上の吸着シート２０２に全域にわたって吸着保持させられる。吸着された転写紙は転写帯電器２４により、ドラム１上の画像が転写される。」（第３頁上右欄第５行〜同頁下左欄第４行）、
「クリッパ２０１に対応する位置で転写ドラム２０の端面外面部に設けられた爪２０６、および爪２０６を検出する」（第３頁下右欄第１５〜１７行）、
「グリッパ信号を検出すると同時に、レーザーによる画像書き込みを行い、ある一定時間づつ遅らせて現像、転写を作動させる。」（第４頁上左欄第１９行〜同頁上右欄第２行）が図面と共に記載されている。
（４）当審の判断
〔申立人の主張〕
　特許異議申立人は、上記甲第３号証，甲第４号証には、現像バイアスを転写紙の進行に同期したタイミングでオンすることにより、転写紙に転写しうる領域のみを現像してトナー消費や装置汚れ等を防止するという技術が記載されているとした上で、トナー像を転写紙の進行方向にずらして転写する構成が記載されている甲第１号証または甲第２号証と、転写紙の進行に同期して現像バイアスの印加タイミングを制御する旨が記載されている甲第３号証または甲第４号証を組み合わせて本件発明を得ることは容易に行いうる旨を主張している。
〔判断〕
　しかしながら、上記甲第３，４号証に記載のものは、特許異議申立人が主張するように『現像バイアスを転写紙の進行に同期したタイミングでオンすることにより、転写紙に転写しうる領域のみを現像』するものであるから、コピースタートから現像バイアスオンまでの時間を変更する制御を行うものではない。したがって、この上記甲第３，４号証に記載のものを「トナー像を転写体の進行方向にずらせて転写する画像形成装置」が記載されているとする甲第１，２号証に記載のものに適用したとしても、本件発明の構成事項である「前記現像バイアスのタイミング制御は、コピースタートから現像バイアスオンまでの時間を上記転写紙のずれ量を時間データに変換した時間だけ加算又は減算する制御を行う」点を導き出すことはできない。
　そして、本件発明は、トナー像を転写体の進行方向ずらして転写する場合に潜像担持体上のトナー像の形成位置と転写紙が潜像担持体と接触する位置がずれても、上記の構成事項を備えることによって、静電潜像担持体上の転写紙が接触する箇所に現像バイアスによるトナー回収作用を働かせることができ、「ドラム上の画像範囲外の地汚れ部が転写されることによる転写紙の地汚れを防止する」という上記甲号各証には記載されていない課題を解決することができるものである。
　以上のとおりであるから、本件発明は、特許異議申立ての理由及び証拠によっては、特許法第２９条第２項の規定に該当しているとすることができない。
４．むすび
　したがって、特許異議申立ての理由及び証拠によっては、本件特許を取り消すことはできない。
　また、他に本件特許を取り消すべき理由を発見しない。
　よって、結論のとおり決定する。
【異議決定日】
平成１１年８月９日（１９９９．８．９）
【訂正の要旨】
訂正の要旨
（１）訂正事項ａ
　明細書中特許請求の範囲において、特許請求の範囲の減縮を目的として、
「（１）現像手段により潜像担持体上にトナー像を形成し、該潜像担持体のトナー像を転写紙に転写して画像形成を行う場合に、上記トナー像を転写紙の進行方向にずらして転写する画像形成装置において、
　現像バイアスを転写紙の進行に同期したタイミングで制御する手段を設けたことを特徴とする画像形成装置。
　（２）特許請求の範囲第１項記載の画像形成装置において、前記タイミング制御手段は、現像バイアスを転写紙の進行のタイミングに対して所定時間ずらして印加することを特徴とする画像形成装置。」
を、
　「（１）現像手段により潜像担持体上にトナー像を形成し、該潜像担持体のトナー像を転写紙に転写して画像形成を行う場合に、上記トナー像を転写紙の進行方向にずらして転写する画像形成装置において、
　現像バイアスを転写紙のレジストオンタイミングに同期したタイミングでオンオフ制御するタイミング制御手段を有し、前記現像バイアスのタイミング制御は、コピースタートから現像バイアスオンまでの時間を上記転写紙のずれ量を時間データに変換した時間だけ加算又は減算する制御を行うことを特徴とする画像形成装置。」とする訂正。
（２）訂正事項ｂ
　明細書（平成８年７月１９日付けで提出され、平成８年１１月８日付けで手続補正された全文補正明細書）第２頁第１８〜１９行（特許第２６２１１７７号公報第２頁第３欄第２６〜２８行）における「上記現像手段・・・特徴としている。」を、明りょうでない記載の釈明を目的として、
　「現像バイアスを転写紙のレジストオンタイミングに同期したタイミングでオンオフ制御するタイミング制御手段を有し、前記現像バイアスのタイミング制御は、コピースタートから現像バイアスオンまでの時間を上記転写紙のずれ量を時間データに変換した時間だけ加算又は減算する制御を行うことを特徴としている。」とする訂正。
（５４）【発明の名称】
画像形成装置
（５７）【特許請求の範囲】
（１）現像手段により潜像担持体上にトナー像を形成し、該潜像担持体のトナー像を転写体に転写して画像形成を行う場合に、上記トナー像を転写体の進行方向にずらして転写する画像形成装置において、
　現像バイアスを
転写紙のレジストオンタイミング
オンオフ制御するタイミング制御手段を有し、前記現像パイアスの夕イミング制御は、コピースタートから現像バイアスオンまでの時間を上記転写紙のずれ量を時間データに変換した時間だけ加算又は減算する制御を行うこと
【発明の詳細な説明】
技術分野
　本発明は、トナー像を転写体の進行方向にずらして転写する画像形成装置に関し、特に現像バイアスのタイミング制御に関するものである。
従来の技術
　従来より、複写機においては、例えば用紙上に綴じ口を設けるために、イメージシフトモードが設けられ、シフト量を特定することにより、紙に対して画像を右移動あるいは左移動させている。すなわち、原稿をコンタクトガラスに載せた時、原稿が右側からスキャンされ、転写紙は上下反対の向きに排出されるため、右移動のときには、レジストローラからの紙の走行タイミングを遅らせる必要があり、逆に左移動のときには、ランプＯＮのタイミングを遅らせる必要がある。本発明者は、先に、露光とレジスタローラの構造的な限界を越えた画像の移動に対して、効率よく移動できるような複写機制御方式を提案した（特願昭６１−１６７３５５号明細書および図面参照）。
　しかし、従来の方法では、複写機のバイアスを制御する場合、帯電、露光等、他のドラム上の作像タイミングと同期させ、仮想画像の先端部が現像バイアス部に達した時にバイアスをＯＮさせている。つまり、ドラム上の画像範囲内の地汚れ防止を行っている。従って、上記先願の明細書に記載されているような方法、すなわち故意に転写タイミングをずらせて画像を移動させるような方法では、ドラム上の画像範囲外にドナーが付着してしまい、この範囲外の地汚れ部が転写される可能性がある。なお、この場合、コピー中、連続的にバイアスを加えておくと電力消費増となる。又、画像範囲外のバイアス部へのトナー付着量が多くなり、トナーを早く消費したり、残トナーの回収による感光体の劣化により現像能力を低下させる要因となる。
目　　　　的
　本発明の目的は、このような従来の問題を解決し、トナー像を転写体の進行方向にずらして転写する場合、ドラム上の画像範囲外の地汚れ部が転写されることによる転写紙の地汚れを防止することにある。
構　　成
　上記目的を達成するために、本発明の画像形成装置は、現像手段により潜像担持体上にトナー像を形成し、該潜像担持体のトナー像を
転写紙
　現像バイアスを転写紙の
レジストオンタイミング
オンオフ制御するタイミング制御
有し、前記現像バイアスのタイミング制御は、コピースタートから現像バイアスオンまでの時間を上記転写紙のずれ量を時間データに変換した時間だけ加算又は減算する制御を行うこと
　以下、本発明の構成を、実施例により詳細に説明する。
　第２図は、本発明が適用されるモノカラー複写機の断面構造図である。
　複写機本体１上には、自動原稿送り装置（以下、ＡＤＦと記す）２が搭載されるとともに、側面の排紙側にはソータ３が、また給紙側には２段の給紙カセットおよび大量給紙のための給紙トレーのいずれかより選択的に給紙するための給紙部４がそれぞれ取り付けられる。
　ＡＤＦ２は、原稿セット部７、ＡＤＦ給紙ローラ８、ＡＤＦ搬送ベルト９、原稿排紙トレイ１０等を備えており、原稿セット部７にセットした原稿を、ＡＤＦ給紙ローラ８によりＡＤＦ搬送ベルト９へと給紙搬送して、複写機本体１上部のコンタクトガラス１１上にセットし、コピー動作終了後、原稿排紙トレイ１０上に排紙する。このＡＤＦ２は、全体が一側面を軸としてコンタクトガラス１１上を開閉し得るように設けられる。従って、ＡＤＦ２は、手動により原稿をコンタクトガラス１１上にセットする際の原稿押え板としての役目を果す。
　コンタクトガラス１１上にセットされた原稿は、ランプ１２で照射される。原稿からの反射光は、第１ミラー１３、第２ミラー１４、第３ミラー１５、レンズユニット１６および第４ミラー１７を介して、感光体ドラム２０の表面に結像される。感光体ドラム２０は、動力伝達機構（図示省略）を介してメインモータ２１により時計方向に回転駆動される。ランプ１２および第１ミラー１３は、第１キャリッジ（図示省略）に搭載されており、矢印方向Ａに一定速度で駆動される。第２ミラー１４および第３ミラー１５は第２キャリッジ（図示省略）に搭載されており、第１キャリッジの速度の１／２の速度で矢印Ａ方向に駆動される。
　感光体ドラム２０の表面は、メインチャージャ２２により一様に荷電される。荷電された面は、細分割イレーズユニット２３を通過して、前記結像により露光され、感光体ドラム２０の表面に静電潜像を生じる。この静電潜像は、現像装置２４の現像液で現像化されて可視像となり、転写チャージャ部２５に送られる。
　転写紙は、給紙部４より給紙コロ２６で繰り出されて、搬送ローラ２７，２８によりレジスタローラ２９に到達する。ここで、タイミングをとって再びペーパガイドに沿って転写紙チャージャ２５に搬送されて、前記可視像が転写される。その記録済転写紙は、分離ユニット３０で感光体ドラム２０より分離され、ペーパガイド３３に案内されて排紙ローラ３４から複写機本体１外部に送り出される。ソータ３では、予め定めた種類によりソートされて排出される。また、合成モードおよび両面コピーのときには、１枚の転写紙に２回印刷されるので、切替え器７０により下方に向けて搬送され、再コピーのための退避位置７４で一時退避する。その後、ローラ７９、８０により第２搬送路を搬送されて、再び転写チャージャ２５の位置まで搬送される。両面コピーの場合には、退避位置７４から転写紙が転写チャージャ２５まで直接搬送されると、裏面が表になるので、そのまま次の転写を行うことができる。これに対して、単色の上に印刷するアンダーカラーやその他の合成モードでは、同一面に次の印刷を行う必要があるため、途中の第２退避位置で転写紙を反転させてから、転写チャージャ２５まで搬送することにより、同一面に印刷することができる。
　一方、感光体ドラム２０の表面は、クリーニングユニット３５でクリーニングされて、再びメインチャージャ２２が起動される。
　複写機本体１の下方には、赤、緑、青のプリント液６２，６３，６４が別々に設置され、それぞれ独立に感光体ドラム２０までの間に配管されて、コピー液が両者間を循環している。
　第３図は、本発明の一実施例を示す操作パネルの配置図である。
　左側からカラーボタンを押すと、緑、青、赤、黒の順に遷移する。合成ボタンを押すと、アンダーカラーと合成の一方のランプが点灯し、モードが設定される。シフトボタンを押すと、センタリングとイメージシフトが交互に点灯する。トリミングボタンを押すと、デリートとセーブが交互に点灯される。一部の画像エリアを指定し、そのエリア部分を残して、他の部分を消去するのがセーブモードであり、前記エリア部分を消去するのがデリートモードである。連写ボタンを押すと、１回目、２回目、３回目の分割複写の１つが選択される。露光ボタンを押すと、右から左に向って順に濃度が大となって写る。カセットボタンを押すと、上、中、下にセットされているカセットを順に選択する。枚数ボタンの該当するものを押すことにより、該当する数だけ複写される。プリントボタンを押すと、実際に複写が実行される。また、上方の右側の数字表示は複写累計枚数であり、左側の記号は、Ｕ（上方）、Ｄ（下方）、Ｌ（左方）、Ｒ（右方）、Ｘｌ，Ｘ２，Ｙ１，Ｙ２は、それぞれ中央に表示されている距離を意味している。すなわち、トリミングやイメージシフトのデータをセットするとき、ボタンの上方の矢印で移動方向をセットした後、記号とその下の２１０ｍｍ等のデータをセットすることにより、その基点からの距離を設定する。
　第４図は、本発明の複写機におけるドラム上の荷電された面を細分割イレーズユニット２３で部分消去させるためのＬＥＤアレイ制御回路の構成図である。
　ＣＰＵから点灯させるＬＥＤの基準側から後方のＬＥＤアレイ点灯用データである配列信号をクロック信号により送り、ＬＥＤの点灯消灯に対応するビット配列を作る。その後、点灯タイミングに合せてトリガーを入力させることにより、ＬＥＤ素子群を選択的に制御する。なお、シフトレジスタおよびドライバは、ＬＥＤ４個ごとに１つ接続されているが、これは４つのピン端子を備えたシフトレジスタを使用しているだけで、ピン数の多いシフトレジスタを使用すれば１つだけでも全てのＬＥＤを駆動できる。
　第５図は、本発明の複写機の制御部の構成図である。
　複写機の操作キースイッチ群８、機械内状態検出センサ類９、および感光体ドラム２０に同期したパルスを発生させるパルス発生器１０等がバッファ類１１を介してＣＰＵ１に入力される。ＣＰＵ１は、アドレスバス、コントローラバス、データバス等を介して、ＲＯＭ３、ＲＡＭ２、入出力ポートバッファ４，５に接続される。入出力ポートバッファ４，５は、ドライバ６を介して駆動、表示等の負荷に接続されている。
　第６図（ａ）は、本発明が適用される複写機の基本動作のフローチャートである。
　複写機の電源がＯＮになると、電源ＯＮ初期化処理を行った後、プリント前処理Ａ、コピー前処理Ｂを行ってからコピー処理Ｃに入る。コピー処理Ｃが終ると、コピー終了処理Ｄを行い、次のコピーのための前処理を行うか、あるいは終了処理を繰り返して待機する。
　第６図（ｂ）は、第６図（ａ）のプリント前処理Ａの詳細フローチャートである。
　プリント前処理Ａでは、先ず、入出力処理を行ってからモード設定処理Ａ−１を行い、次に異常チェックを行う。異常がある場合には、異常処理を行うが、異常がなければ、プリント準備処理Ａ−２に入り、プリント条件チェックＡ−３を行った後、プリント可であれば、、プリントスタートチェックを行い、プリントスタートＯＮになったか否かを判定する。プリント可でないとき、あるいはプリントスタートＯＮでないときには、最初に戻って入出力処理を行う。
　第７図（ａ）（ｂ）は、コピー前処理、およびコピー処理の各フローチャートである。
　第７図（ａ）のコピー前処理（Ｂ）では、プリントＯＮの初期化を行った後、入出力処理と異常チェックを行い、異常がなければ、コピー前動作処理を行う。異常があれば、異常処理ルーチンに分岐する。
　第７図（ｂ）のコピー処理（Ｃ）では、初期設定を行った後、入出力処理と異常チェックを行い、異常がなければ、リピート処理、リピートタイミングチェックを行い、リピートタイミングであれば、リピート終了チェックを行って、リピート終了であることを，確認すると、コピー終了処理ルーチンに分岐する。
　
トリミングモード
　トリミングモードには、前述のように、一部の画像エリアを指定してそのエリア部を残して他の部分を消去するセーブモードと、上記エリア部を消去するデリートモードとがある。これらのトリミングモードと合成モードとを組合せることにより、プログラムモードが設定される。
　次に、トリミングモード時のデータの入力動作について述べる。
（データ入力）
（イ）トリミングする原稿サイズを入力する。
（ロ）トリミングエリアの指定は、基準点からトリミングエリアの四隅までの距離を方向キーにより入力する。
（ハ）初めに、右キーによりＸ１データを入力する。
（ニ）Ｘ１データ入力後、エンターキーによりデータをＸ１データメモリに格納し、Ｘ２データ入力のためのＸ２データ入力フラグをＯＮさせる。
（ホ）Ｘ２データを入カし、エンターキーによりＸ２データメモリに格納する。
（へ）同じようにして、Ｙ１，Ｙ２データを入力する。
（ト）トリミングデータの入力が全て終了し、シフトモード、プログラムモード等がセットされていなければ、エンターキーの押下によりデータセット終了フラグをセットし、データ入力を終了する。
　次に、データ変換処理は、入力データよりＬＥＤアレイの制御データを作成する処理である。
（データ変換）
（イ）原稿サイズ、用紙サイズ、トリミングエリアデータから原稿用紙トリミングエリアの各中央座標を求める。
（ロ）移動がある場合には、トリミングエリアデータに移動量を増減させる。
（ハ）変倍と組合せの場合には、上記移動量による変換後のデータに倍率を乗じた値に変換する。
（ニ）上記各モードによる変換後のデータを用いて、ＬＥＤアレイ点灯用データに変換する。
　次に、コピー動作について詳述する。
（コピー動作）
（イ）トリミングエリアデータのうち、Ｙ方向データはＬＥＤアレイの点灯数、Ｘ方向データはＬＥＤアレイの点灯タイミングを決めるデータであり、光学系に転送する（光学系スタート信号、サイズデータ等のデータと共に送る）。
（ロ）光学系は、上記Ｘ方向データをスキャナースタートからの位置データに変換し、スキャナーが対応する位置に達した時に、本体にトリミング信号として送信する。
（ハ）光学系からのトリミング信号を受信して、Ｘｎに対応したＬＥＤを点灯制御し、ドラム上の画像エリアをデリートまたはセーブする。
　次に、トリミング画像の移動、またはセンタリングを行うためのシフトモードについて述べる。
シフトモード
（モード設定）
（イ）操作ボード上のシフトキーの押下により、イメージシフト設定ルーチンで、イメージシフト、センタリングまたはＯＦＦモードに設定する。
（ロ）操作ボード上の対応するモード表示が点灯する。
（ハ）変倍モードをセットした後にシフトモードにセットすると、部分変倍モードになる。
（ニ）合成モードまたはアンダーカラーモード設定後にジフトモードをセットすると、プログラムモードになる。
（データ入力）
（イ）イメージシフトデータ入力は、移動させたい方向のキーの押下により行われる。
（ロ）左／右、上／下キーを押すと、ＸまたはＹにデータが入り、また方向フラグがセットされる。
（ハ）上記データおよび方向フラグにより、ボード上の方向指示表示が点灯し、移動データが表示される。
（ニ）各入力ごとにエンターキーを押下すると、データがメモリに格納される。
（ホ）データキーを入力せずにエンターキーを押下した場合には、メモリは前のデータがそのまま維持される。
（へ）他のモードがセットされていれば、エンターキーの押下で、データセット終了フラグをセットし、データ入力を終了する。
（ト）センタリングモード時は、データ入力は不要である。
（データ変換）
（イ）変倍と組合せの場合には、シフトデータに倍率を乗じた値に変換する。
（ロ）トリミングモードとの組合せは、トリミングモードの項を参照されたい。
（ハ）センタリングのデータ変換
（ａ）センタリングデータ変換において、トリミングエリア中央と紙サイズ中央との差（移動量）を求める。
（ｂ）トリミングデータより加減算する。これにより、等倍でのセンタリングされたトリミングデータが得られる。
（ｃ）上記データに倍率を乗じてデータ変換を終了する。
（コピー動作）
（イ）Ｙ軸のシフトに関しては、光学系にシフトデータを送信することにより、レンズを移動させて行う。
（ロ）Ｘ軸のシフトに関しては、ドラム上の画像と、転写紙との相対位置を変えることにより行われる。
　第１図（ｂ−１）（ｂ−２）は、本発明におけるドラム廻りの関連部材の位置関係図である。
　（ｂ−１）は、現像バイアスローラのバイアスＯＮがレジストローラのレジストＯＮ位置よりも前（スリット側）に位置している場合、（ｂ−２）は、現像バイアスローラのバイアスＯＮがレジストローラのレジストＯＮ位置よりも後（転写チャージャ側）に位置している場合を、それぞれ示している。
　
（ｂ−１）の場合、
　
（ｂ−２）の場合、
　制御モードは、次の４通りのモードを持っている。
Ｉ．左移動でシフト量＜ｌ３のとき、
　１：原稿からの反射光が感光体に達した時（スリット部に達した時）からの時間をシフト量だけ短くして、バイアスＯＮおよびバイアスＯＮから所定量だけ遅らせてレジストＯＮする。または、レジストＯＮおよびレジストＯＮから所定量だけ遅らせてバイアスＯＮする（第１０図のＣ−２−３参照）。
　２：またはコピースタートを通常よりシフト量だけ遅くして、バイアスＯＮおよびバイアスＯＮから所定量だけ遅らせてレジストＯＮする。または、レジストＯＮおよびレジストＯＮから所定量だけ遅らせてバイアスＯＮする（第１図（ａ）のＢ−２−３参照）。
ＩＩ．左移動で、ｌ３＋ｌ２＞シフト量＞ｌ３の場合。なお、ｌ２は、ランプＯＮ〜スリット中央の距離である。
　１：レジストセンサＯＮの後、搬送部停止タイミングで、ランプをＯＮする。
　そして、ランプＯＮの後、（ｌ２＋ｌ３）−（シフト量）において、バイアスＯＮおよびバイアスＯＮから所定量だけ遅らせてレジストＯＮする。または、レジストＯＮおよびレジストＯＮから所定量だけ遅らせてバイアスＯＮする（第８図Ｂ−２−４，第９図（ａ）のＢ−２−５，第９図（ｂ）のＢ−２−６参照）。
ＩＩＩ．左移動で、シフト量＞ｌ３＋ｌ２の場合、
　１：レジストセンサＯＮの後、搬送部停止タイミングで、バイアスＯＮおよびバイアスＯＮから所定量だけ遅らせてレジストＯＮする。または、レジストＯＮおよびレジストＯＮから所定量だけ遅らせてバイアスＯＮする。そして、
　（シフト量）−（ｌ２−ｌ３）でランプをＯＮする（第８図のＢ−２−４，第９図（ａ）のＢ−２−５，第９図（ｂ）のＢ−２−６参照）。
ＩＶ．右移動の場合には、シフト量にかかわらず、原稿からの反射光が感光体に達した時からの時間にシフト量分加算した値の後、バイアスＯＮおよびバイアスＯＮから所定量だけ遅らせてレジストＯＮする。または、レジストＯＮおよびレジストＯＮから所定量だけ遅らせてバイアスＯＮする（第１０図Ｃ−２−３参照）。
　このように、左移動においては、３つのモードに分けて対応している。これは、領域を越えた移動、すなわち基準となる制御対象が異なるためで、原稿からの反射光が感光体に達した時とするか、ランプをＯＮとする時とするか、搬送部停止タイミングとするか、の違いに合わせたモードである。
　以上が、シフトモードの説明である。
　このように、トリミング、シフト動作を行うためには、Ｙ軸方向は光学ランプを移動し、Ｘ軸方向はドラム上の画像と転写紙との相対位置を変化させることにより行っている。
　第８図は、コピー前動作処理のうちのレジストセンサーチェックのフローチャートである。
　レジストローラの近辺に設けられているレジストセンサがＯＮすると、搬送停止タイマがセットされていないならば、搬送停止タイマーセットＯＮにより、タイマーがスタートする。これは、紙の先端がレジストローラに突当って、さらに１０ｍｍ程度のたるみを作ってから搬送クラッチをＯＦＦさせるための遅延動作である。タイムアップになると、搬送クラッチＯＦＦにして、シフトデータ有りのとき、右移動でなく、かつシフトデータが３０より大きく、１４８より小さいとき、コピースタートフラグ１をＯＦＦにし、コピースタートフラグ２をＯＮにする。このフラグ２により、コピーが実行される。シフトデータが１４８より大きいときには、バイアスをＯＮにし、レジストカウンターをスタートさせる。なお、このシフトデータを本実施例において、１シフトデータに対して１ｍｍの移動としている。
　第９図は、コピ一前動作処理のうちのシフトカウンタセット（第９図（ａ）のＢ−２−５）およびコピースタートチェック２（第９図（ｂ）のＢ−２−６）のフローチャートである。
　第９図（ａ）のシフトカウンタセットでは、シフトデータ有で、かつ左移動であり、シフトデータが３０より大きく、１４８以下の場合に、パルス基準を１４８からシフトデータを差引いた値にし、ランプＯＮを確認し、シフトカウンタセットＯＦＦを確認してから、シフトカウンタセットＯＮし、シフトカウンタをスタートさせる（処理ａ）。また、シフトデータが１４８より大きい場合には、パルス基準をシフト・データから１４８を差引いた値にして、バイアスＯＮを確認して、シフトカウンタセットＯＮにして、シフトカウンタをスタートさせる（処理ｂ）。
　このように、左移動で、シフト量がｌ３＋ｌ２＞シフト量＞ｌ３の場合、処理ａを実行し、ランプＯＮより（ｌ２＋ｌ３）−（シフト量）にて、バイアスＯＮし、レジストカウンタスタートのためのシフトカウンタをスタートさせる。
　また、シフト量がｌ３＋ｌ２より大きい場合には、処理ｂを実行して、バイアスＯＮレジストカウンタースタートより（シフト量）−（ｌ２＋ｌ３）にて、ランプをＯＮさせるためのシフトカウン夕をスタートさせる。
　第９図（ｂ）のコピースタートチェック２では、シフトカウンタセットＯＮ、シフトデータが３０より大きく、１４８以下であって、シフトカウンタがパルス基準に等しいときには、バイアスＯＮにし、レジストタイマーをスタートさせる。また、シフトデータが１４８より大きい場合には、コピースタートフラグ１をＯＦＦにし、コピースタートフラグ２をＯＮにする。
　第１図（ａ）は、コピースタートチェック（Ｂ−２−３）のフローチャートであり、第１０図（ａ）はバイアス（またはレジスト）制御処理（Ｃ−２−３）のフローチャートである。第１図（ｂ−１）（ｂ−２）は動作位置の説明図である。
　本実施例においては、Ｘ軸移動方向に３０ｍｍ以内の左シフトがある場合に、コピースタートのタイミングをシフト量分だけ遅らせる。コピースタートチェックのフローでは、コピースタートフラグ１がＯＮで、シフトデー夕を時間データに変換する。次に、右シフトでなく、シフトデータが３１ｍｍより小さく、遅延タイマーセットＯＮされていないときに、遅延タイマーセットフラグＯＮにし、遅延タイマーをスタートさせる。次に、遅延タイマーが時間データに等しいとき、コピースタートフラグ１をＯＦＦにして、コピースタートフラグ２をＯＮにする（第１図（ａ）参照）。
　または、３０ｍｍ以内の左シフトは、スリット信号入力からのタイマー時間を減算することにより行う（第１０図（ａ）参照）。従って、用紙に対してコピーのスタートを相対的に遅らせておかなければならない。
　第１図（ｂ−１）は、ドラムとバイアスとレジストローラとの位置関係図である。
　感光体ドラムの表面がメインチャージャにより荷電された後、スリットより光が入射して露光されることにより、ドラム表面に静電潜像が生じる。ドラム上におけるコピースタート（ランプＯＮ）の位置よりスリットまでの距離は、ランプ立上り時間を稼ぐ距離ｌ２、シフト量分だけ、コピースタートを遅らせる距離としてのスリットからバイアスＯＮする位置までの距離ｌ３、バイアスＯＮ位置から転写チャージャまでの距離をｌ４、バイアスＯＮ位置からレジストスタート位置までの距離をｌ５、とすると、転写チャージャからバイアスＯＮまでの距離ｌ４から、さらに（ｌ２＋ｌ３）×（ＶＰ／ＶＤ）だけ離れた位置が転写紙の通常のスタート位置である。ここで、ＶＰは給紙速度、ＶＤはドラムの回転速度である。
　通常のコピー（シフトがないとき）時には、用紙の先端が上記転写紙スタート位置に到達した時に、コピーをスタートさせると、画像と用紙が転写チャージャで効率よく合致する。
　左移動のシフト時には、シフト量ｌ３だけ前に進ませた位置からコピースタートさせる。つまり、シフト量分だけコピースタートを遅らせることになる。
　すなわち、本実施例においては、ドラム上の画像と転写紙との相対位置を変化させること、つまり、（ａ現像バイアスローラのバイアスＯＮ、またはレジストローラのレジストＯＮタイミングを基準にして、コピースタート（ランプＯＮ）の時点を遅らせることにより、画像を左移動させる。（ｂ）コピースタート（ランプＯＮ）を基準にして、現像バイアスローラのバイアスＯＮ、またはレジストローラのスレジストＯＮのタイミングを遅らせることにより、画像を右移動させる。
このように、コピースタート（ランプＯＮ）とレジストＯＮまたはバイアスＯＮの相対関係により、３つのモードの制御が可能となる。
▲１▼転写紙が給紙ロより給紙され、レジストローラに達する所定時間前にドラム上の画像作成プロセスをスタート（露光ランプＯＮ）させ、そのプロセスの−環として動作するスキャナーが所定位置に達してから、バイアスＯＮまたはレジストＯＮの作動までの時間を変化させるモード。
▲２▼転写紙がレジストローラに達した時、上記プロセスをスタートさせ、その時点からバイアスＯＮまたはレジストＯＮを作動するまでの時間を変化させるモード。
▲３▼転写紙がレジストローラに達し、さらに多少のたるみを作った時点でレジストＯＮまたはバイアスをＯＮさせ、その時点からプロセスをスタートさせるまでの時間を変化させるモード。
　第１０図（ａ）（ｂ）は、バイアスまたはレジストクラッチ制御処理（Ｃ−２−３）のフローチャート、および第１図（ｂ−１）における実際の動作伝達を示すドラムとレジストローラの相対関係図である。
　レジストクラッチ制御処理では、スキャナースリット信号ＯＮであり、バイアスタイマー（またはレジストタイマー）がまだセットされていないならば、バイアスタイマー（またはレジストタイマー）セットフラグＯＮにした後、バイアスタイマー（または）レジストタイマーをスタートさせる。そして、基準値を１００ｍｓｅｃにセットする。なお、スキャナースリット信号は、原稿からの反射光が感光体に達した時に複写機本体に送る信号である。シフトデータ有りの場合には、シフトデータ（距離データ）を時間データに変換する。右シフトの場合には、基準値に上記時間データを加算する（つまり、バイアスＯＮ、またはレジストＯＮがさらに遅れる）。また、左シフトの場合には、シフトデータが３１ｍｍより小さい、すなわち３０ｍｍ以内のとき、基準値より時間データを減算する（つまり、バイアスＯＮまたはレジストＯＮが早くなる）。夕イマーが基準値を越えたならば、バイアス（またはレジスト）をＯＮにし、レジストタイマー（またはレジストパルス）をスタートさせる。なお、シフト量が３０ｍｍより大きく、すなわち３１ｍｍ以上になると、スキャナースリット信号ＯＮの後、直ちにバイアス（またはレジスト）をＯＮにしても間に合わない。
第１０図（ｂ）において、画像先端がスリット部に達してから、ｔ３経過後にバイアスＯＮさせる。すなわち、ｌ３＝３０ｍｍ、ｔ３＝１００ｍｓｅｃである。
　第１３図は、バイアスＯＮから所定時間（ｌ５／ＶＤ）すなわち５０ｍｓｅｃ後に、レジストクラッチＯＮさせるためのフローチャートである。
　すなわち、レジストクラッチ制御は、バイアスＯＮであり、かつレジストタイマーが５０ｍｓｅｃ経過しているならば、レジストクラッチをＯＮにし、次にレジストパルスをスタートさせ、制御を終了させる。
　次に、合成モードについて詳述する。合成モードは、１枚目の原稿をコピーした後、そのコピー紙の同一面に２枚目の原稿をコピーするモードであって、トリミング、イメージシフト、カラー等との組合せモードで行えるように構成されている。
合成モード
（モード設定）
（イ）合成モード設定において、合成モード／アンダーカラーモードまたＯＦＦモードに設定する。操作ボード上の該当モード表示が点灯する。
（ロ）合成モードまたはアンダーカラーモードを選択した後、紙サイズでカラ、ー倍率、コピー枚数等、他のモードを選択すると、プログラムモードになる。
　第１４図は、モード設定処理のうちの合成モード設定（Ａ−１−２）の処理フローチャートである。
　合成モード設定では、コピー中でないことを確認して（コピー中フラグは、プリントＯＮ初期化でＯＮ、コピー終了処理でＯＦＦ）、操作ボードの合成キーＯＮ信号を入力時にＯＮしたならば、合成キーループカウンタを＋１する。このカウンタは、このフローを実行するごとに＋１されるカウンタである。その場合、ループカウンタ値が１より大で、４０未満のときには、キー押下し放しであるから、一定時間ごとにモードを切換えるための処理を行う。アンダーカラーモードか、合成モードかにより、各モードフラグをＯＮにして、操作ボード上の対応モード表示を点灯させる。
　次に、１回目フラグＯＮにし、操作ボード上の１回目表示を点灯させる。ブザーＯＮにして合成モードを実行させた後、プログラムフラグをＯＦＦにする。このフラグは、合成モードセットの後、トリミングモードやイメージシフトモードをセットしていた場合に、セットされるフラグである。
　次に、単純合成の場合のコピー動作を説明する。
（コピー動作）
（イ）プリントＯＮから定着までのシーケンスは、通常コピーシーケンスと同じである。
（ロ）定着された用紙が排出される経路で、中間トレイゲートの入口手前に達した時点で、レジストＯＮ時にスタートしたレジストカウンタの値により中間トレイゲート爪ＳＯＬをＯＮし、用紙を中間トレイに導く（第１２図のＣ−２−４参照）。
（ハ）用紙の先端が中間トレイセンサを通過した時、中間トレイセットＳＯＬをＯＮし、中間トレイセットコロをリフトアップさせる。
（ニ）用紙の後端が前記センサを通過時、排紙カウンタを＋１させ、中間トレイ制御パルスをスタートさせる。
（ホ）中間トレイ制御パルスにより、セットＳＯＬをＯＦＦさせ、中間トレイセットコロを下降させ、用紙を中間トレイに収納させた後、再びリフトアップさせる。
（へ）リピート最終紙は、コピー終了処理中の終了動作処理で中間トレイ制御を実行し、用紙加圧板を加圧させ、２回目の給紙に備える。
（ト）２回目のコピーの給紙は、中間トレイの給紙クラッチＯＮにより行われる。
（チ）用紙先端の合成トレイゲート爪の手前に達すると、ゲート爪が開になり、用紙を反転させて、合成トレイに導く。
（リ）用紙後端が合成センサを通過した時、合成給紙制御パルスをスタートさせる。
（ヌ）上記パルス制御により、合成トレイに入った用紙の後端が先頭になる方向に給紙Ｌ本体給紙搬送路に送り出す。
（ル）用紙先端がレジストローラ手前のある距離（第１図（ａ）のＢ−２−３参照）に達するタイミングで、コピースタートフラグ１をセットさせる。
（オ）コピースタートフラグ１がセットされると、シフトデータのない場合には、即時にコピースタートフラグ２がセットされ、他の条件が満足されれば、コピールーチンに進む。
（ワ）上記動作により、１回目のコピーされた面に２回目のコピーが行われ、合成コピーが完了する。
　第１１図および第１２図は、コピー処理のうちのリピート処理であるシーケンス制御処理１，２のフローチャートである。
　シーケンス制御処理（第１１図のＣ−２−１参照）では、シーケンスパルスが１０に到達したならば、露光ランプをＯＮにし、パルス＝４０に達したならば、光学系スタートＯＮにする。ここでは、ドライブモータに連動したパルス発生器よりの信号（シーケンスパルス）をカウントして制御する。光学系スタートＯＮになると、光学系にスキャナースタートの信号を送信する。パルスカウント値が４２に達すると、帯電チャージＯＮにする。
　シーケンス制御処理２（第１２図のＣ−２−４参照）では、レジストパルス（第１０図のＣ−２−３でスタートしたパルス）が３０に達すると、転写チャージャＯＮにし、パルスが４５に達すると、分離ジャムチェックを行い、パルスが２１０に達すると、定着ジャムチェックを行い、パルスが２４０に達すると、合成モードＯＮ、アンダーカラーＯＮであるか、両面ＯＮのときで、１回目のときには、中間トレイゲートＳＯＬをＯＮにする。なお、用紙の先端が、中間トレイゲート爪の手前に達するタイミングになるようにセットすると、パルス＝２４０となる。
　さらに、パルスが３１０に達すると、合成モードＯＮ、アンダーカラーＯＮか、または両面ＯＮで、１回目のときには、中間トレイジャムチェックを行い、片面ＯＮのときには、排紙ジャムチェックを行う。また、パルスが３６０に達すると、ソータのジャムチェックを行う。
効　　果
　以上説明したように、本発明によれば、トナー像を転写体の進行方向にずらして転写する場合に、上記現像バイアスを転写体の進行に同期したタイミングで制御することで、ドラム上の画像範囲外の地汚れ部が転写されることによる転写紙の地汚れを防止することができる。
【図面の簡単な説明】
　第１一図は本発明の一実施例を示すコピースタートチェックのフローチャートと位置関係図、第２図は本発明が適用されるモノカラー複写機の断面構造図、第３図は第２図の複写機の操作パネルの配置図、第４図は第２図におけるＬＥＤアレイの構成図、第５図は第２図における制御部のブロック図、第６図は複写機の基本動作フローチャート、第７図はコピー前処理とコピー処理のフローチャート、第８図はコピー前動作処理におけるレジストセンサーチェックのフローチャート、第９図はコピー前動作処理におけるシフトカウンタセットおよびコピースタートチェック２のフローチャート、第１０図はリピート処理におけるバイアス（またはレジストクラッチ）制御処理のフローチャートと位置関係図、第１１図および第１２図はそれぞれリピート処理におけるシーケンス制御処理１，２のフローチャート、第１３図はレジストクラッチ制御の動作フローチャー１、第１４図はモード設定処理のうちの合成モード設定（Ａ−１−２）の処理フローチャートである。
　１：複写機本体、２：ＡＤＦ、３：ソータ、４：給紙部、７：原稿セット部、８：ＡＤＦ給紙ローラ、９：ＡＤＦ搬送ベルト、１０：原稿排紙トレイ、１１：コンタクトガラス、１６：レンズユニット、１２：ランプ、１３，１４，１５，１７：ミラー、２０：感光ドラム、２１：メインモータ、２２：メインチャージャ、２３：細分割イレーズユニット、２６：搬送コロ、２９：レジストローラ、３０：分離ユニット、３３：ペーパガイド、３４：排紙ローラ、３５：クリーニングユニット。